(57)【要約】【課題】大型の成型設備を必要とせず、一般的なガラス繊維断熱材を用いた簡単な保温構成を有する熱交換器を提供する。【解決手段】熱源側より供給される高温水と負荷側を流れる循環水を熱交換し所定の温度に昇温する略箱形形状の熱交換器１５と、前記熱交換器１５の全面を覆うように配設した保温材２５とを備え、前記保温材２５は、ガラス繊維よりなるシート材２６とこのシート材２６を包む樹脂フィルム２７からなり、かつ前記箱形形状のうち少なくとも一面を開放して形成した収納部２５と、前記開放面を覆う蓋部２８とに分割して構成してある。【選択図】図１
2005147413.tif 000002
【特許請求の範囲】
【請求項１】
熱源側より供給される高温水と負荷側を流れる循環水を熱交換し所定の温度に昇温する略箱形形状の熱交換器と、前記熱交換器の全面を覆うように配設した保温材とを備え、前記保温材は、ガラス繊維よりなるシート材とこのシート材を包む樹脂フィルムからなり、かつ前記箱形形状のうち少なくとも一面を開放して形成した収納部と、前記開放面を覆う蓋部とに分割して構成した熱交換装置。
【請求項２】
収納部は、展開形状としたシート材を樹脂フィルムで覆い、加熱処理により所定の形状を形成する請求項１記載の熱交換装置。
【請求項３】
展開形状としたシート材は、略箱形形状に対応する折り曲げ部に切り目を入れ、樹脂フィルムの熱収縮により所定の形状になるようにした請求項２記載の熱交換装置。
【請求項４】
シート材のみで構成した収納部と蓋部により収納された熱交換器を樹脂フイルムで全面を覆い、加熱処理により保温材と熱交換器を一体化した請求項１記載の熱交換装置。
【請求項５】
熱源より供給される高温水は、外部加熱手段から供給される加熱水を貯湯タンク上部から積層状態で貯湯する構成とし、負荷側を流れる循環水は、風呂からの追い焚き浴槽水として、前記貯湯タンク上部から下部に高温水を循環させながら熱交換する請求項１記載の熱交換装置を用いた貯湯式給湯装置。
【発明の詳細な説明】
【技術分野】
【０００１】
本発明は、貯湯タンクの高温水を利用して風呂追い焚き運転等ができる熱交換装置に関するものである。
【背景技術】
【０００２】
従来、この種の保温構成は、貯湯タンクあるいは熱交換器の外表面に密着させるように耐熱発泡断熱材を成型し、この成型された断熱材で貯湯タンクや熱交換器を包んで保温するという方法が一般的であった（例えば、特許文献１参照）。
【０００３】
図６、図７は特許文献１の貯湯タンクの代わりに熱交換器とした場合について示したものである。
【０００４】
熱交換器１は図６に示すように平板状をなし、貯湯タンクから供給される高温水の入出口２と、負荷側の循環水の入出口３を有しており表面からの放熱損失を防止するため、図７に示すような、発砲スチロール等よりなる成型品４で覆われ、貯湯タンク本体に固定されているのが一般的であった。
【特許文献１】特開平８−２４７５５４号公報
【発明の開示】
【発明が解決しようとする課題】
【０００５】
しかしながら従来の構成では、周囲と確実に断熱するためには成型品１の容積を確保する必要がある上、本体への固定時、あるいは入出口２、３の接続配管や補修時に外力を受け、クラックが生じたり機器の振動等により成型品が落脱する恐れがあり、その結果熱損失を生じ性能が低下するという課題があり、また、耐熱発泡材の成型品としているため成型設備を要するといった課題があった。
【０００６】
本発明は前記従来の課題を解決するもので、大型の成型設備を必要とせず、一般的なガラス繊維断熱材を用いた簡単な保温構成を有する熱交換器を提供するものである。
【課題を解決するための手段】
【０００７】
前記従来の課題を解決するために、本発明の熱交換装置は、熱源側より供給される高温水と負荷側を流れる循環水を熱交換し所定の温度に昇温する略箱形形状の熱交換器と、前記熱交換器の全面を覆うように配設した保温材とを備え、前記保温材は、ガラス繊維よりなるシート材とこのシート材を包む樹脂フィルムからなり、かつ前記箱形形状のうち少なくとも一面を開放して形成した収納部と、前記開放面を覆う蓋部とに分割して構成したものである。
【０００８】
これによって、一般的な断熱材であるガラス繊維よりなるシート材を樹脂フィルムで包むことにより所定の形状を確保し熱交換器の保温材とするため、コンパクトにして安価で安定した保温構成が得られ、かつ、性能を確保できるものである。
【発明の効果】
【０００９】
本発明の熱交換装置は、一般的な断熱材であるガラス繊維よりなるシート材を樹脂フィルムで包み熱収縮により所定の形状を確保するという極めて簡単な方法で熱交換器の保温材を構成しているため、コンパクトにして安価で安定した保温構成が得られるものである。
【発明を実施するための最良の形態】
【００１０】
第１の発明は、熱源側より供給される高温水と負荷側を流れる循環水を熱交換し所定の温度に昇温する略箱形形状の熱交換器と、前記熱交換器の全面を覆うように配設した保温材とを備え、前記保温材は、ガラス繊維よりなるシート材とこのシート材を包む樹脂フィルムからなり、かつ前記箱形形状のうち少なくとも一面を開放して形成した収納部と、前記開放面を覆う蓋部とに分割して構成したことを特徴とするもので、比較的薄い厚さの容器で保温性能を確保できるうえ、外力で破損する等のおそれがない。
【００１１】
第２の発明は、収納部は、展開形状としたシート材を樹脂フィルムで覆い、加熱処理により所定の形状を形成することを特徴とするもので、シート材を包む樹脂フィルムを熱収縮して容器を形成するという極めて簡単な方法であり、安価にして組立や補修性に優れた保温容器を形成することができる。
【００１２】
第３の発明は、展開形状としたシート材は、略箱形形状に対応する折り曲げ部に切り目を入れ、樹脂フィルムの熱収縮により所定の形状になるようにしたことを特徴とするもので、シート材を包む樹脂フィルムを熱収縮するとき、確実に所定の形状を確保することができ、安価にして組立や補修性に優れた保温容器を形成することができる。
【００１３】
第４の発明は、シート材のみで構成した収納部と蓋部により収納された熱交換器を樹脂フイルムで全面を覆い、加熱処理により保温材と熱交換器を一体化したことを特徴とするもので、熱交換器と保温材が樹脂フィルムで一体化されるため、さらに確実な保温性を確保できるものである。
【００１４】
第５の発明は、特に第１の発明における熱交換装置を用い、熱源より供給される高温水は、外部加熱手段から供給される加熱水を貯湯タンク上部から積層状態で貯湯する構成とし、負荷側を流れる循環水は、風呂からの追い焚き浴槽水として、前記貯湯タンク上部から下部に高温水を循環させながら熱交換するようにした貯湯式給湯装置であり、コンパクトな熱交換装置を提供しつつ、風呂追い焚き時の保温性能を確保することができる。
【００１５】
以下、本発明の実施の形態について、図面を参照しながら説明する。なお、本実施の形態によって本発明が限定されるものではない。
【００１６】
（実施の形態１）
図１は、本発明の第１の実施の形態における貯湯式給湯装置の構成図である。
【００１７】
図において、１１は貯湯タンクで、熱源となるヒートポンプユニット１２への往き口１４、ヒートポンプユニット１２からの戻り口１３、熱交換器１５への往き口１６、熱交換器１５からの戻り口１７を設けてある。１８は沸き上げポンプで、貯湯タンク１１の下部から水を取り出しヒートポンプユニット１２に供給する。この流量を制御することで沸き上げ温度を調節することができる。
【００１８】
また、熱交換器１５には高温水の入口１９、出口２０を設けてあり、タンク１１との循環回路が形成されている。さらに、熱交換器１５には負荷側の入口２１および出口２２を設けてあり、循環風呂ポンプ２３、浴槽２４を接続して追い焚き回路を形成してある。
【００１９】
上記構成において、２５は熱交換器１５を覆う保温材であり、図２に示すガラス繊維よりなるシート材２６とこれを包むポリエチレンフィルム２７で構成してある。
【００２０】
ガラス繊維よりなる保温材２６は、熱交換器１５を収納する形状を確保すべく、所定の展開形状としたシート材２６とし、このシート材２６を熱収縮性のポリエチレンフィルム２７の袋に入れる。また、シート材２６には破線で示すように折り曲げ部に切り目を入れて、所定形状が確保しやすいようにしておく。
【００２１】
次ぎに、この状態で所定温度の加熱炉に入れると、ポリエチレンフィルム２７が熱収縮してシート材２６が切り目に沿って、図３に示すように熱交換器１５を収納する容器の形状をなす。なお、この加熱処理においてシート材２６の折り曲げ部を規制するようにおもりを置いておくとより確実に所定の形状を確保することができる。
【００２２】
そして、図４に示すように、成形された容器の中に熱交換器１５を収納し、開放面に同様の方法で蓋体を用意すれば熱交換器１５の全面を覆うことができる。
【００２３】
（実施の形態２）
図５は、本発明の第２の実施の形態における熱交換装置の要部断面図であり、実施の形態１と同一部分は同一番号を付与する。
【００２４】
第２の実施の形態は、熱交換器１５を収納する容器と蓋体をポリエチレンフィルム２７で一体化したものである。
【００２５】
２６はガラス繊維よりなる保温材であり、予め箱状に成形して熱交換器１５を覆うもので、同様のガラス繊維よりなる平板状のシート材２８と併せて熱交換器１５の全面を覆った後、ポリエチレンフィルム２７でさらに全面を包み、さらに熱収縮して一体化したものである。２９は熱交換器１５に固定された取り付け金具を示す。
【産業上の利用可能性】
【００２６】
以上のように、本発明に係る熱交換装置は、ガラス繊維よりなる平板状のシート材を展開形状にし、熱収縮性の樹脂フィルムで覆った後、加熱処理により所定形状の容器を確保するという極めて簡単な方法で保温構成が得られるものであり、熱交換器に限らず簡単な形状の保温材等に適用できる。
【図面の簡単な説明】
【００２７】
【図１】本発明の実施の形態１における貯湯式給湯装置の構成図
【図２】本発明の実施の形態１における熱交換装置の保温材の平面図
【図３】同保温材の外観斜視図
【図４】同熱交換装置の要部断面図
【図５】本発明の実施の形態２における熱交換装置の要部断面図
【図６】従来の熱交換器の平面図
【図７】従来の熱交換器の保温材の外観斜視図
【符号の説明】
【００２８】
１１  貯湯タンク
１５  熱交換器
２５  保温材（収納部）
２６  シート材
２７  ポリエチレンフィルム（樹脂フィルム）
２８  蓋体（蓋部）
【図１】
2005147413.tif 000003
【図２】
2005147413.tif 000004
【図３】
2005147413.tif 000005
【図４】
2005147413.tif 000006
【図５】
2005147413.tif 000007
【図６】
2005147413.tif 000008
【図７】
2005147413.tif 000009